(57)【要約】【課題】視野角と輝度とのバランスが取れた面光源装置及びそれに使用される光偏向素子を提供する。【解決手段】光偏向素子４は、光が入射する入光面４１とその反対側に位置し入射した光を出射する出光面４２とを有しており、入光面４１には一対の略対称なプリズム面４４，４５から構成されるプリズム列が互いに略並列に複数配列されている。一対のプリズム面４４，４５のそれぞれは、プリズム列の延在方向と直交する断面の形状において、少なくとも１つの円弧形状からなり、プリズム列の頂点に最も近い円弧形状の曲率半径ｒとプリズム列の配列ピッチＰとの比ｒ／Ｐが２〜４である。【選択図】図２
2012042502.tif 000002
【特許請求の範囲】
【請求項１】
光が入射する入光面とその反対側に位置し入射した光を出射する出光面とを有しており、前記入光面には一対の略対称なプリズム面から構成されるプリズム列が互いに略並列に複数配列されている光偏向素子であって、
前記一対のプリズム面のそれぞれは、前記プリズム列の延在方向と直交する断面の形状において、少なくとも１つの円弧形状からなり、前記プリズム列の頂点に最も近い円弧形状の曲率半径ｒと前記プリズム列の配列ピッチＰとの比ｒ／Ｐが２〜４である、
ことを特徴とする光偏向素子。
【請求項２】
一次光源と、該一次光源から発せられる光が入射する光入射端面および入射した光を導光して出射する光出射面を有する導光体と、該導光体の光出射面に隣接配置された請求項１に記載の光偏向素子とを含んでなることを特徴とする面光源装置。
【請求項３】
前記光偏向素子は、前記入光面が前記導光体の光出射面に対向するように配置されていることを特徴とする、請求項２に記載の面光源装置。
【請求項４】
前記一次光源は、前記導光体の互いに対向する２つの側端面からなる２つの光入射端面にそれぞれ対向するように、配置されていることを特徴とする、請求項３に記載の面光源装置。
【発明の詳細な説明】
【技術分野】
【０００１】
本発明は、ノートパソコン、モニター、テレビ等において表示部として使用される液晶表示装置等を構成するエッジライト方式の面光源装置およびそれに使用される光偏向素子に関するものである。
【背景技術】
【０００２】
近年、カラー液晶表示装置は、携帯用ノートパソコンやパソコン等のモニターとして、あるいは液晶テレビ等の表示部として、種々の分野で広く使用されている。また、情報処理量の増大化、ニーズの多様化、マルチメディア対応等に伴って、液晶表示装置の大画面化、高精細化が盛んに進められている。
【０００３】
液晶表示装置は、基本的にバックライト部と液晶表示素子部とから構成されている。バックライト部としては、液晶表示素子部の直下に光源を配置した直下方式のものや導光体の側端面に対向するように光源を配置したエッジライト方式のものがあり、液晶表示装置のコンパクト化の観点からエッジライト方式のものが多用されている。
【０００４】
近年、消費電力の低減の観点から、エッジライト方式のバックライト部として、一次光源から発せられる光量を有効に利用するために、画面から出射する光束の広がり角度をできるだけ小さくして所要の角度範囲に集中して光を出射させるものが利用されている。例えば、特許第４２１００５３号公報（特許文献１）に開示されている光偏向素子を用いることで高輝度な面光源装置を実現できる。
【０００５】
一方、モニターやテレビなどにおいては、光があまりに狭い角度範囲に集中してしまうと特定の角度範囲でしか見ることが出来なくなる。このため適度の視野角の確保も必要である。一般には、視野角が広くなると輝度は下がり、輝度をあげると視野角が狭くなるというように、輝度と視野角とはトレードオフの関係にあるといわれている。
【先行技術文献】
【特許文献】
【０００６】
【特許文献１】特許第４２１００５３号公報
【発明の概要】
【発明が解決しようとする課題】
【０００７】
特許文献１に記載されている光偏向素子を用いた面光源装置では、所要の角度範囲に集中して光を出射させ、画面から出射する光束の広がり角度をできるだけ小さくすることで、一次光源から発せられる光量を有効に利用して高輝度を実現するので、輝度を適度に維持しつつ視野角を拡げることは困難である。
【０００８】
そこで、本発明の目的は、視野角が広く且つ適度の輝度が維持された即ち視野角と輝度とのバランスが取れた面光源装置及びそれに使用される光偏向素子を提供することにある。
【課題を解決するための手段】
【０００９】
すなわち、本発明の光偏向素子は、
光が入射する入光面とその反対側に位置し入射した光を出射する出光面とを有しており、前記入光面には一対の略対称なプリズム面から構成されるプリズム列が互いに略並列に複数配列されている光偏向素子であって、
前記一対のプリズム面のそれぞれは、前記プリズム列の延在方向と直交する断面の形状において、少なくとも１つの円弧形状からなり、前記プリズム列の頂点に最も近い円弧形状の曲率半径ｒと前記プリズム列の配列ピッチＰとの比ｒ／Ｐが２〜４であることを特徴とする。
【００１０】
また、本発明によれば、
一次光源と、該一次光源から発せられる光が入射する光入射端面および入射した光を導光して出射する光出射面を有する導光体と、該導光体の光出射面に隣接配置された上記の光偏向素子とを含んでなることを特徴とする面光源装置、
が提供される。
【００１１】
本発明の一態様においては、前記光偏向素子は、前記入光面が前記導光体の光出射面に対向するように配置されている。本発明の一態様においては、前記一次光源は、前記導光体の互いに対向する２つの側端面からなる２つの光入射端面にそれぞれ対向するように、配置されている。
【発明の効果】
【００１２】
本発明によれば、視野角が広く且つ適度の輝度が維持された即ち視野角と輝度とのバランスが取れた面光源装置及びそれに使用される光偏向素子を提供することができる。
【図面の簡単な説明】
【００１３】
【図１】本発明による面光源装置の実施形態を示す模式的斜視図である。
【図２】本発明による光偏向素子の実施形態におけるプリズム列の断面形状の説明図である。
【図３】本発明による光偏向素子の実施形態におけるプリズム列の断面形状の変形例の説明図である。
【図４】本発明による面光源装置における導光体の出射角依存の出射光光度分布の一例を示す図である。
【図５】本発明による面光源装置における導光体の出射角依存の出射光光度分布の他の例を示す図である。
【図６】本発明による面光源装置における比ｒ／Ｐと輝度分布半値全幅との関係の例を示す図である。
【図７】本発明による面光源装置における比ｒ／Ｐと相対輝度との関係の例を示す図である。
【発明を実施するための形態】
【００１４】
以下、図面を参照しながら、本発明の実施の形態を説明する。
【００１５】
図１は、本発明による面光源装置の一つの実施形態を示す模式的斜視図である。図１に示されているように、本発明の面光源装置は、少なくとも一つの側端面を光入射端面３１とし、これと略直交する一つの表面を光出射面３３とする導光体３と、この導光体３の光入射端面３１に対向して配置された一次光源１と、導光体３の光出射面３３上に配置された光偏向素子４および光拡散素子６と、導光体３の光出射面３３と反対の側の裏面３４に対向して配置された光反射素子５とから構成される。
【００１６】
導光体３は、ＸＹ面と平行に配置されており、全体として矩形板状をなしている。導光体３は４つの側端面を有しており、そのうちＹＺ面と平行な１対の側端面のうち、少なくとも一つの側端面を光入射面３１とする。光入射端面３１は一次光源１と対向して配置されており、一次光源１から発せられた光は光入射端面３１に入射し導光体３内へと導入される。
【００１７】
導光体３の光入射端面３１に略直交した２つの主面は、それぞれＸＹ面と略平行に位置しており、いずれか一方の面（図では上面）が光出射面３３となる。この光出射面３３及びそれと反対の側に位置する裏面３４のうちの少なくとも一方の面に粗面からなる指向性光出射機能部や、プリズム列、レンチキュラーレンズ列、Ｖ字状溝等の多数のレンズ列を並列形成したレンズ面からなる指向性光出射機能部を付与することによって、光入射端面３１に入射した光を導光体３中を導光させながら、光出射面３３から光入射端面３１および光出射面３３の双方に直交する面（ＸＺ面）内の出射光分布において指向性のある光を出射させる。このＸＺ面内における出射光分布のピークの方向が光出射面３３となす角度をａとすると、この角度ａは１０〜４０度とすることが好ましく、出射光分布の半値全幅は１０〜４０度とすることが好ましい。
【００１８】
なお、本発明では、上記のような光出射面３３またはその裏面３４に光出射機能部を形成する代わりにあるいはこれと併用して、導光体内部に光拡散性微粒子を混入分散することで指向性光出射機能を付与したものでもよい。また、導光体３としては、図１に示したような大略平行平板状（即ちＸＺ断面形状が長方形）のものに限定されるものではなく、少なくとも光入射端面に隣接する部分において光入射端面から離れるに従い次第に厚みが減少するくさび形状のもの、或いは、船型状等の種々のＸＺ断面形状を持つものが使用できる。
【００１９】
本発明の導光体３は、光透過率の高い合成樹脂から構成することができる。このような合成樹脂としては、メタクリル樹脂、アクリル樹脂、ポリカーボネート系樹脂、ポリエステル系樹脂、塩化ビニル系樹脂が例示できる。特に、メタクリル樹脂が、光透過率の高さ、耐熱性、力学的特性、成形加工性に優れており、最適である。このようなメタクリル樹脂としては、メタクリル酸メチルを主成分とする樹脂であり、メタクリル酸メチルが８０重量％以上であるものが好ましい。導光体３の粗面の表面構造を形成するに際しては、透明合成樹脂板を所望の表面構造を有する型部材を用いて熱プレスすることで形成してもよいし、スクリーン印刷、押出成形や射出成形等によって成形と同時に形状付与してもよい。また、熱あるいは光硬化性樹脂等を用いて構造面を形成することもできる。更に、ポリエステル系樹脂、アクリル系樹脂、ポリカーボネート系樹脂、塩化ビニル系樹脂、ポリメタクリルイミド系樹脂等からなる透明フィルムあるいはシート等の透明基材上に、活性エネルギー線硬化型樹脂からなる粗面構造を表面に形成してもよいし、このようなシートを接着、融着等の方法によって別個の透明基材上に接合一体化させてもよい。活性エネルギー線硬化型樹脂としては、多官能（メタ）アクリル化合物、ビニル化合物、（メタ）アクリル酸エステル類、アリル化合物、（メタ）アクリル酸の金属塩等を使用することができる。
【００２０】
図２は、光偏向素子４におけるプリズム列の断面形状の説明図である。図２は、図１におけるＸＺ断面に相当する。光偏向素子４は主表面の一方を入光面４１とし他方の面を出光面４２とする。入光面４１には多数のプリズム列が並列に配列され、各プリズム列は一次光源に近い側に位置する第１のプリズム面４４と一次光源から遠い側に位置する第２のプリズム面４５の２つのプリズム面から構成されている。第２のプリズム面４５は第１のプリズム面４４を出光面４２の法線方向（Ｚ方向：図２では上下方向）の線を対称線として反転したものであり、プリズム列は左右対称の形状となっている。モニターやテレビでは、光量確保のため、導光体の両側端面に隣接して一次光源を配置することがある。この場合、面光源装置ひいては液晶表示装置から効率よく光を出射するためには、光偏向素子はプリズム列が左右対称形状のものが良い。
【００２１】
図２に示した実施形態において、第１のプリズム面４４および第２のプリズム面４５は、ＸＺ断面形状が１つの円弧で構成されている。このようにＸＺ断面形状において１つの円弧でプリズム面を構成する場合、プリズム列の配列ピッチＰを１としたとき、円弧の半径ｒは２〜４である。即ち、プリズム面のそれぞれは、プリズム列の延在方向と直交する断面の形状において、１つの円弧形状を含んでおり、この円弧形状の曲率半径ｒとプリズム列の配列ピッチＰとの比ｒ／Ｐが２〜４である。これは、ｒ／Ｐが４より大きいと十分な視野角が得られないためである。ｒ／Ｐは、好ましくは３．５以下である。一方、ｒ／Ｐは、好ましくは２．２以上であり、更に好ましくは、２．５以上である。これは、ｒ／Ｐが２より小さいと十分な輝度が得難くなるためである。即ち、視野角が広く且つ適度の輝度が維持された即ち視野角と輝度とのバランスが取れた面光源装置を得るためには、光偏向素子のプリズム列ｒ／Ｐは、２〜４であり、たとえば、好ましくは２．２〜３．５、更に好ましくは２．５〜３．５である。
【００２２】
第１のプリズム面４４と第２のプリズム面４５とは、略対称である。ここで、略対称とは、完全に左右対称である場合の他に、実質上左右対称と見なされる場合をも含むものとする。ここで、実質上左右対称とは、左右反転させて使用した場合においても反転前のものと実使用上同等と見なし得る程度の光出射変化しか生じない程度の範囲内のものとする。
【００２３】
なお、プリズム列の配列ピッチＰは、特に制限されないが、１０〜１００μｍ程度が好ましい。但し、液晶パネル（液晶表示素子）とのモアレを回避できる値を選ぶとよい。
【００２４】
本実施形態では、プリズム列のＸＺ断面形状において、プリズム列の頂点に最も近い円弧形状は、プリズム列の頂点（稜線に対応する）まで延びており、しかもプリズム面は唯一の半径ｒの曲面（円筒面）からなる。
【００２５】
但し、本発明においては、各プリズム列の２つのプリズム面のそれぞれは、ＸＺ断面形状において、唯一の円弧形状である必要はなく、プリズム列の頂点に最も近い円弧形状の部分よりプリズム頂点から遠い部分において、更に異なる曲率半径の円弧からなるものであってもよい。
【００２６】
図３に、そのようなプリズム列の断面形状の変形例の説明図を示す。この変形例では、第２のプリズム面４５は、ＸＺ断面形状が２つの円弧形状で構成されている。第１の円弧形状は、曲率半径がｒであり、プリズム列の頂点から位置４５’まで延びている。第２の円弧形状は、曲率半径がｒ’であり、位置４５’より出光面４２に近い側において延びている。この場合、出光面４２に近い第２の円弧形状の曲率半径ｒ’は、たとえば４．５〜６．５程度でも良い。第１のプリズム面４４については、図示しないが、第２のプリズム面４５と対称に構成されている。
【００２７】
一次光源１としては例えばＬＥＤ光源、ハロゲンランプ、メタルハライドランプ等のような点状光源や蛍光ランプや冷陰極管などのＹ方向に延在する線状光源を用いることができる。複数の点状光源をＹ方向に配列してもよい。必要に応じて、一次光源を取り囲むように光源リフレクタを設置しても良い。これは一次光源から出射した光のうち導光体３に入射できない光を導光体に向けて反射させる。材質としては、例えば表面に金属蒸着反射層を有するプラスチックフィルムを用いることができる。このような光源リフレクタと同様な反射部材を、導光体３の光入射端面とされる側端面３１以外の側端面に付することも可能である。
【００２８】
光反射素子５は導光体３の光出射面３３と反対の側の裏面３４に対向して配置される。光反射素子５としては、例えば表面に金属蒸着反射層を有するプラスチックシートを用いることができる。本発明においては、光反射素子５として、反射シートに代えて、導光体３の裏面３４に金属蒸着等により形成された光反射層等を用いることも可能である。これにより導光体３より漏れた光を再度導光体内に戻してやることが出来、一次光源から発せられる光量を有効に利用することができる。
【００２９】
光拡散素子６は、光偏向素子４の出光面側にて光偏向素子４と一体化させてもよいし、光拡散素子６を個別に光偏向素子４の出光面上に載置しても良い。個別に光拡散素子６を載置する場合には、光拡散素子６の光偏向素子４に隣接する側の面即ち入射面には、光偏向素子４とのスティッキングを防止するため、凹凸構造を付与することが好ましい。同様に、光拡散素子６の出射面においても、その上に配置される液晶表示素子との間でのスティッキングを考慮する必要があり、光出射面にも凹凸構造を付与することが好ましい。この凹凸構造は、スティッキング防止の目的のみに付与する場合には、上記特許文献１の明細書の段落［００１９］ないし［００２１］に記載されているＩＳＯ４２８７／１−１９８４による平均傾斜角が、０．７度以上となるような構造とすることが好ましく、さらに好ましくは１度以上であり、より好ましくは１．５度以上である。
【００３０】
以上のような面光源装置の発光面上に、液晶表示素子を配置することにより液晶表示装置が構成される。液晶表示装置は、図１における上方から液晶表示素子を通して観察者により観察される。
【実施例】
【００３１】
以下、実施例及び比較例によって本発明を具体的に説明する。
【００３２】
なお、以下の実施例及び比較例において使用した導光体の作製方法および各物性の測定方法を下記に示す。
【００３３】
［導光体の作製］
鏡面仕上げをした有効面積１９５ｍｍ（Ｘ方向寸法）×３０７ｍｍ（Ｙ方向寸法）、厚さ３ｍｍのステンレススチール板を型素材として用い、ガラスビーズ（ポッターズバロティーニ社製Ｊ２２０）を用いて、ステンレススチール板からブラストノズルまでの距離を３２ｃｍとして、ブラスト処理を行った。これにより、第１の成型用型部材を得た。
【００３４】
一方、鏡面仕上げをした有効面積１９５ｍｍ（Ｘ方向寸法）×３０７ｍｍ（Ｙ方向寸法）、厚さ３ｍｍのニッケル−リンメッキ板を型素材として用い、その表面に、レンズ列形成面からなる導光体裏面を転写により形成するための形状転写面を切削加工により形成した。これにより、第２の成型用型部材を得た。レンズ列形成面のレンズ列は、頂部先端曲率半径１３５μｍ、配列ピッチ１００μｍ、アスペクト比１０であった。また、レンズ列の延びる方向は、上記ステンレス板の長辺と垂直の方向（Ｘ方向）になるようにした。
【００３５】
上記２つの成型用型部材を用いて、透明アクリル樹脂組成物を射出成形することにより、短辺１９５ｍｍ、長辺３０７ｍｍの長方形で、厚みが０．８ｍｍと一定で、一方の面（光出射面３３）が粗面からなり、他方の面（裏面３４）がレンズ列形成面からなる透明アクリル樹脂製の導光体を得た。
【００３６】
導光体の厚さ０．８ｍｍの長辺側端面（光入射端面３１）に対向するようにして、該長辺に沿って等間隔で５４個のＬＥＤ（豊田合成社製E1S62-YWOS7-07）を配置し、更に光源リフレクタを配置した。また、導光体の裏面３４に対向するようにして光反射素子として光散乱反射シート（東レ社製Ｅ６ＳＰ）を配置した。この導光体の光度分布を測定した結果を図４に示す（光度は相対値で示す）。
【００３７】
［導光体の光度分布の測定］
図１に示される構成から光偏向素子４及び光拡散素子６を除去したものにおいて、一次光源１を点灯させ、導光体３の光出射面３３に３ｍｍφのピンホールを有する黒色の紙をピンホールが導光体の中央に位置するように固定した。光出射面３３の法線方向即ちＺ方向を０°として、ＸＺ面内で＋８５°〜−８５°の範囲内で１°間隔で傾けながら、輝度計で出射光の光度分布を測定した。角度は一次光源１に近い側を負とし、その反対側を正とした。
【００３８】
［面光源装置のピーク輝度、ピーク角度及び輝度分布の半値全幅の測定］
図１に示される構成において、一次光源１を点灯させ、輝度計の視野角度を１度にし、面光源装置の中央に測定位置がくるよう調整した。光偏向素子４の出光面４２の法線方向即ちＺ方向を０度として、＋４５°〜−４５°の範囲内で１°間隔で傾けながら、輝度計で出射光の輝度分布を測定し、ピーク輝度、ピーク角度（ピーク輝度の得られた角度）及び輝度分布の半値全幅（ピーク輝度値の１／２以上の輝度値の分布の広がり角）を求めた。角度は一次光源に近い側を負とし、その反対側を正とした。
【００３９】
実施例１：
図１及び２の実施形態に属する面光源装置を、以下のようにして作製した。
【００４０】
先ず、図４に示される出射光光度分布（光度は相対値で示す）をもつ導光体３を作製した。この導光体の光出射面３３上に、屈折率１．５０６のアクリル系紫外線硬化性樹脂を用いて作製した光偏向素子４を載置した。光偏向素子４は、入光面に多数のプリズム列が形成されたプリズムシートであり、各プリズム列は１対の対称プリズム面の断面形状が曲率半径ｒ＝１００μｍの円弧状のものであった。プリズム列の配列ピッチＰは５０μｍであった。このプリズムシートを、そのプリズム列形成面からなる入光面４１が導光体３の光出射面３３に向くように載置した。このときのｒ／Ｐは２．０であった。更に、一次光源１、光拡散素子６及び光反射素子５を配置し、面光源装置を得た。
【００４１】
この面光源装置の出射光輝度分布を測定し、後述の比較例１を基準とした場合のピーク輝度比率、ピーク角度、輝度分布の半値全幅を得、その結果を表１に示した。
【００４２】
実施例２：
各プリズム列の１対の対称プリズム面の断面形状が曲率半径ｒ＝１１０μｍである以外は、実施例１と同様にして面光源装置を得た。このときのｒ／Ｐは２．２であった。
【００４３】
この面光源装置の出射光輝度分布を測定し、後述の比較例１を基準とした場合のピーク輝度比率、ピーク角度、輝度分布の半値全幅を得、その結果を表１に示した。
【００４４】
実施例３： 
各プリズム列の１対の対称プリズム面の断面形状が曲率半径ｒ＝１２０μｍである以外は、実施例１と同様にして面光源装置を得た。このときのｒ／Ｐは２．４であった。
【００４５】
この面光源装置の出射光輝度分布を測定し、後述の比較例１を基準とした場合のピーク輝度比率、ピーク角度、輝度分布の半値全幅を得、その結果を表１に示した。
【００４６】
実施例４：
各プリズム列の１対の対称プリズム面の断面形状が曲率半径ｒ＝１５０μｍである以外は、実施例１と同様にして面光源装置を得た。このときのｒ／Ｐは３．０であった。
【００４７】
この面光源装置の出射光輝度分布を測定し、後述の比較例１を基準とした場合のピーク輝度比率、ピーク角度、輝度分布の半値全幅を得、その結果を表１に示した。
【００４８】
実施例５：
各プリズム列の１対の対称プリズム面の断面形状が曲率半径ｒ＝１６５μｍである以外は、実施例１と同様にして面光源装置を得た。このときのｒ／Ｐは３．３であった。
【００４９】
この面光源装置の出射光輝度分布を測定し、後述の比較例１を基準とした場合のピーク輝度比率、ピーク角度、輝度分布の半値全幅を得、その結果を表１に示した。
【００５０】
実施例６：
各プリズム列の１対の対称プリズム面の断面形状が曲率半径ｒ＝２００μｍである以外は、実施例１と同様にして面光源装置を得た。このときのｒ／Ｐは４．０であった。
【００５１】
この面光源装置の出射光輝度分布を測定し、後述の比較例１を基準とした場合のピーク輝度比率、ピーク角度、輝度分布の半値全幅を得、その結果を表１に示した。
【００５２】
実施例７：
各プリズム列の１対の対称プリズム面のＸ−Ｚ断面形状において、プリズム列の頂点の座標を（Ｘ，Ｚ）＝（０，０）としたとき、一方のプリズム面が、（Ｘ，Ｚ）＝（１２．５００，１８．０５８）よりプリズム列頂点の側ではｒ＝１８０μｍの円弧形状とし、（Ｘ，Ｚ）＝（１２．５００，１８．０５８）よりプリズム列根元側（即ち出光面４２に近い側）ではｒ’＝３００μｍの円弧形状とし、他方のプリズム面の断面形状が、上記一方のプリズム面を出光面の法線に対して左右対称に反転した形状からなるものとし、プリズム列の配列ピッチＰ＝５０μｍとした（即ち、プリズム列については図３の変形例に該当する）以外は、実施例１と同様にして面光源装置を得た。このときのｒ／Ｐは、プリズム列頂点側の円弧形状については３．６であり、プリズム列根元側の円弧形状については６であった。
【００５３】
この面光源装置の出射光輝度分布を測定し、後述の比較例１を基準とした場合のピーク輝度比率、ピーク角度、輝度分布の半値全幅を得、その結果を表１に示した。
【００５４】
比較例１：
各プリズム列のプリズム面のＸ−Ｚ断面形状において、プリズム列の頂点の座標を（Ｘ，Ｚ）＝（０，０）としたとき、一方のプリズム面が、プリズム列頂点（Ｘ，Ｚ）＝（０，０）と（Ｘ，Ｚ）＝（−２４．８７１，３８．７４０）とを結んだ直線形状とし、もう一方のプリズム面が、プリズム列頂点（Ｘ，Ｚ）＝（０，０）と（Ｘ，Ｚ）＝（２５．１２９，３８．７４０）とを曲率半径Ｒ＝４７５μｍの円弧で結んだ形状とし、プリズム列の配列ピッチＰ＝５０μｍとした以外は、実施例１と同様にして面光源装置を得た。このときの円弧形状のＲ／Ｐは９．５であった。
【００５５】
この面光源装置の出射光輝度分布を測定し、ピーク輝度を１．０００とし、ピーク角度、輝度分布の半値全幅を得、その結果を表１に示した。
【００５６】
比較例２：
各プリズム列の１対の対称プリズム面の断面形状が曲率半径ｒ＝５０μｍである以外は、実施例１と同様にして面光源装置を得た。このときのｒ／Ｐは１．０であった。
【００５７】
この面光源装置の出射光輝度分布を測定し、比較例１を基準とした場合のピーク輝度比率、ピーク角度、輝度分布の半値全幅を得、その結果を表１に示した。
【００５８】
比較例３：
各プリズム列の１対の対称プリズム面の断面形状が曲率半径ｒ＝２５０μｍである以外は、実施例１と同様にして面光源装置を得た。このときのｒ／Ｐは５．０であった。
【００５９】
この面光源装置の出射光輝度分布を測定し、比較例１を基準とした場合のピーク輝度比率、ピーク角度、輝度分布の半値全幅を得、その結果を表１に示した。
【００６０】
比較例４：
各プリズム列の１対の対称プリズム面の断面形状が曲率半径ｒ＝３００μｍである以外は、実施例１と同様にして面光源装置を得た。このときのｒ／Ｐは６．０であった。
【００６１】
この面光源装置の出射光輝度分布を測定し、比較例１を基準とした場合のピーク輝度比率、ピーク角度、輝度分布の半値全幅を得、その結果を表１に示した。
【００６２】
比較例５：
各プリズム列の１対の対称プリズム面の断面形状が曲率半径ｒ＝３５０μｍである以外は、実施例１と同様にして面光源装置を得た。このときのｒ／Ｐは７．０であった。
【００６３】
この面光源装置の出射光輝度分布を測定し、比較例１を基準とした場合のピーク輝度比率、ピーク角度、輝度分布の半値全幅を得、その結果を表１に示した。
【００６４】
【表１】
2012042502.tif 000003
【００６５】
実施例８：
導光体３の互いに反対側に位置する２つの側端面に対向してそれぞれ一次光源１を配置し、これらの側端面をいずれも光入射端面３１とした以外は、実施例５と同様にして面光源装置を得た。ここで、導光体３の出射光光度分布（光度は相対値で示す）は図５に示されるとおりであった。
【００６６】
この面光源装置の出射光輝度分布を測定し、後述の比較例６を基準とした場合のピーク輝度比率、ピーク角度、輝度分布の半値全幅を得、その結果を表２に示した。
【００６７】
比較例６：
各プリズム列のプリズム面のＸ−Ｚ断面形状において、プリズム列の頂点の座標を（Ｘ，Ｚ）＝（０，０）としたとき、一方のプリズム面が、プリズム列頂点（Ｘ，Ｚ）＝（０，０）と（Ｘ，Ｚ）＝（−２４．８７１，３８．７４０）とを結んだ直線形状とし、もう一方のプリズム面が、プリズム列頂点（Ｘ，Ｚ）＝（０，０）と（Ｘ，Ｚ）＝（２５．１２９，３８．７４０）とを曲率半径Ｒ＝４７５μｍの円弧で結んだ形状とし、プリズム列の配列ピッチＰ＝５０μｍとした以外は、実施例８と同様にして面光源装置を得た。このときのプリズム列根元側の円弧形状のＲ／Ｐは９．５であった。
【００６８】
この面光源装置の出射光輝度分布を測定し、ピーク輝度を１．０００とし、ピーク角度、輝度分布の半値全幅を得、その結果を表２に示した。
【００６９】
【表２】
2012042502.tif 000004
【００７０】
図６に、各プリズム列の１対の対称プリズム面の断面形状が１つ以上の円筒面から構成されている場合（上記実施例１〜６及び比較例２〜５等）の比ｒ／Ｐと輝度分布半値全幅との関係を示した。
【００７１】
図７に、各プリズム列の１対の対称プリズム面の断面形状が１つ以上の円筒面から構成されている場合（上記実施例１〜６及び比較例２〜５等）の比ｒ／Ｐと相対輝度値（ピーク輝度比率）との関係を示した。
【符号の説明】
【００７２】
１    一次光源
３    導光体
４    光偏向素子
５    光反射素子
６    光拡散素子
３１    光入射端面 
３３    光出射面
３４    裏面
４１    入光面
４２    出光面
４４  第１のプリズム面
４５  第２のプリズム面
【図１】
2012042502.tif 000005
【図２】
2012042502.tif 000006
【図３】
2012042502.tif 000007
【図４】
2012042502.tif 000008
【図５】
2012042502.tif 000009
【図６】
2012042502.tif 000010
【図７】
2012042502.tif 000011